(57)【特許請求の範囲】
【請求項１】
遊技球を入球させる入賞口と、
左右に対向し起立位置と傾倒位置とに回動操作されることにより該入賞口を開放または閉塞自在な一対の可動羽根と、
前記入賞口に連通し前記遊技球を誘導する誘導路と、
該誘導路に連通し前記遊技球を排出する排出孔と、
前記誘導路を第一誘導路および第二誘導路に隔てる隔壁と、
を備え、
前記第一誘導路と前記第二誘導路とにおいて、前記遊技球を前記入賞口から前記排出孔に誘導するのに要する時間が互いに異なる可変入賞装置。
【請求項２】
前記第一誘導路が連続した傾斜平面により形成され、
前記第二誘導路が水平面ないし傾斜平面が断続的に設けられることにより段状に形成される請求項１の可変入賞装置。
【請求項３】
前記第一誘導路と前記第二誘導路とが互いに異なる角度の傾斜平面又は傾斜曲面によって設けられる請求項１の可変入賞装置。
【請求項４】
前記入賞口を外部において囲う入賞口囲み枠と、
該入賞口囲み枠において、前記入賞口の上部に向かって突設する突設片と、
を備える請求項１ないし３のいずれかの可変入賞装置。
【発明の詳細な説明】
【技術分野】
【０００１】
本発明は、弾球遊技機において、入賞口を開閉する可変入賞装置に関する。
【背景技術】
【０００２】
弾球遊技機において用いられる可変入賞装置は、遊技性を向上させたり、遊技球の詰まり、すなわち球噛みを防止したり、不正行為を防止したりするなどの目的のため種々のものが開発されている。
【０００３】
例えば、特許文献１に記載のように、可変入賞装置の組み立てのやりやすさと小型化とを図ることを課題とし、球検出器５が後部品３の検出器収容部２３に収容され、配線４０が検出器収容部２３から検出配線通し部２４を経由して後部品３の外部に引き出され、開閉部品４の扉軸３３が前部品２の扉軸受部９又は後部品３の扉軸受部２１に収容され、前部品２の結合部１１と後部品３の結合部２２とが互いに有頭螺子部材４３で結合されるにより、開閉部品４の扉軸３３が前部品２の扉軸受部９と後部品３の扉軸受部２１と回転可能に支持され、開閉部品４の扉３２が前部品２の入賞口７に開閉し得るように配置され、開閉駆動機構２６のリンクレバー２９と開閉部品４のリンク突起３４とが互いに連結され、検出器収容部２３に収容された球検出器５が飛び出ないように前部品２で支持され、前部品２と後部品３と開閉部品４と入賞口７と球検出器５と開閉駆動機構２６とが直線状に配置されているパチンコ遊技機の可変入賞装置がある。
【０００４】
また、特許文献２に記載の発明は、遊技機演出にあった化粧板を取り付けた場合でも球詰まりの発生を防止することができる可変入賞装置を提供することを課題とし、遊技盤面３上に取り付けられる取り付け基板９０と、取り付け基板９０ら前方に突設された上始動ポケット１３と、上始動ポケット１３の下方に位置する取り付け基板９０に形成された下始動口と、この下始動口に対して遊技球を誘導する可動片１７ｂ、１７ｂと、可動片１７ｂ、１７ｂの前面に固定配置される化粧板８１とを備えた可変入賞装置１１において、化粧板８１は、可動片１７ｂ、１７ｂの可動範囲の前方を覆う形状の透明部材により形成され、且つ、透明部材の前面に図柄が設けられ、透明部材の上部は上始動ポケット１３の下部との間での遊技球の詰まりを防止し得るよう近接配置したものである。
【０００５】
また、特許文献３に記載の発明は、可変入賞口装置の両羽根が開成してその内方に打玉が有利にはいりやすいように変化させながら趣向性のより高い遊技ができるよう両羽根を有効に伸縮可能とすることを課題とし、特定入賞口に入賞すると開成することになる開閉自在の両羽根（１）、（１）を有する可変入賞口装置（Ａ）を備えたパチンコ機において、前記両羽根（１）、（１）には羽根（１）の先端からその延出方向に出退可能となる補助羽根（１ａ）をそれぞれ備えて構成したものである。
【０００６】
【特許文献１】特開２０１１−２５５０８５号公報
【特許文献２】特開２００８−１６７８８１号公報
【特許文献３】特開平７−２４１３６７号公報
【発明の開示】
【発明が解決しようとする課題】
【０００７】
しかしながら、球噛みの防止対策や円滑な遊技球の誘導は不十分である。また、左右に対向する一対の可動羽根により入賞口を閉塞または開放自在となす、いわゆる電動チューリップにおいて、入賞口に入球するかに見えた遊技球が、左右の可動羽根において一方から他方へすり抜けてしまい、遊技球が入賞口に入球しないという現象が発生してしまう。
【０００８】
そこで、本発明は、球噛み防止性・興趣性の向上を図り、また、いわゆる電動チューリップにおける上記のすり抜けを防止することを課題とする。
【課題を解決するための手段】
【０００９】
上記課題を鑑み、本発明は、遊技球を入球させる入賞口と、左右に対向し起立位置と傾倒位置とに回動操作されることにより該入賞口を開放または閉塞自在な一対の可動羽根と、前記入賞口に連通し前記遊技球を誘導する誘導路と、該誘導路に連通し前記遊技球を排出する排出孔と、前記誘導路を第一誘導路および第二誘導路に隔てる隔壁と、を備え、前記第一誘導路と前記第二誘導路とにおいて、前記遊技球を前記入賞口から前記排出孔に誘導するのに要する時間が互いに異なる可変入賞装置である。
【００１１】
ここで、前記第一誘導路と前記第二誘導路とにおいて、「前記遊技球を前記入賞口から前記排出孔に誘導するのに要する時間が互いに異なること」とは、例えば同時に前記第一誘導路と前記第二誘導路とに進入した前記遊技球が、互いに異なるタイミングで前記排出孔に到達することをいう。
【００１２】
本発明において、前記第一誘導路が連続した傾斜平面により形成され、前記第二誘導路が水平面ないし傾斜平面が断続的に設けられることにより段状に形成されることが好ましい。
【００１３】
上記の「段状」とは、一段に設けてもよく、また二段以上の階段状として設けてもよい。
【００１４】
また、本発明において、前記第一誘導路と前記第二誘導路とが互いに異なる角度の傾斜平面又は傾斜曲面によって設けられることも好ましい。
【００１５】
前記第一誘導路および前記第二誘導路について、上述の他、一方を傾斜平面にし、他方を傾斜曲面にすることとしてもよい。また、前記第一誘導路および前記第二誘導路を同じ角度の傾斜平面により構成し、一方に前記遊技球の誘導を停止させない程度の溝や突起物等の障害物を設けることとしてもよい。また、前記第一誘導路および前記第二誘導路が互いに異なる経路長を有することとしてもよい。
【００１６】
本発明において、前記入賞口を外部において囲う入賞口囲み枠と、該入賞口囲み枠において、前記入賞口の上部に向かって突設する突設片と、を備えることが好ましい。
【００１７】
前記突設片は、前記入賞口囲み枠に固設される基部から前記入賞口の上部に向かって左右の幅が漸次狭められて形成されることが好ましい。これにより、前記突設片の側辺が滑らかなＲ形状となることが好ましい。その他、前記突設片の側辺がテーパ形状であってもよい。
【００１８】
前記突設片の左右の幅が漸次狭められて形成されることにより、前記可動羽根を介して左右に移動する前記遊技球を前記入賞口に向かって転動するように誘導することができ、前記遊技球のすり抜けを防止することができる。
【００１９】
前記第一誘導路および前記第二誘導路の終端において、同一の排出孔に連通することが好ましい。また、これに関わらず、前記第一誘導路および前記第二誘導路の終端において、それぞれ別個の排出孔に連通することも好ましい。
【００２０】
前記第一誘導路および前記第二誘導路の終端において、同一の前記排出孔に連通することにより、前記可変入賞装置をコンパクトに形成することができる。一方で、前記第一誘導路および前記第二誘導路の終端において、それぞれ別個の前記排出孔に連通させることにより、左右それぞれの前記可動羽根により案内された前記遊技球がそれぞれ別々の結果をもたらすなどの演出の多様性を付加することができる。
【００２１】
本発明における可変入賞装置は、左右に対向する一対の可動羽根により入賞口を閉塞または開放自在となすいわゆる電動チューリップと呼ばれる形態のものであるが、これは普通電動役物および特別電動役物のいずれにおいても用いることができる。ここで、普通電動役物とは、電動役物のうち、大入賞口以外の入賞口の入口を開き、または拡大するもので、遊技球が特定の入賞口に入賞し、もしくは特定のゲートを通過し、または特定の図柄の組合せが表示された場合に作動するものをいう。また、特別電動役物とは、電動役物のうち、大入賞口の入口を開き、または拡大するものをいう。
【発明の効果】
【００２２】
本発明によれば、左右に対向する一対の可動羽根により入賞口を閉塞または開放自在となす可変入賞装置において、隔壁により二手に分かれる誘導路を合理的に形成することができる。これにより、前記可変入賞装置に入球する前記遊技球を迅速に誘導することができ、遊技の多様性を引き出すことができる。また、前記誘導路の形成は合理的であるため、前記第一誘導路および前記第二誘導路を備えつつも可変入賞装置全体をコンパクトにすることができ、製造コストの上昇も抑えることができる。隔壁により遊技球のすり抜けも防止できる。
【００２３】
また、左右それぞれの可動羽根により同じタイミングで前記第一誘導路および前記第二誘導路に前記遊技球が案内された場合でも、別々のタイミングで前記排出孔に誘導することができ、該排出孔付近において球噛みすることを防ぐことができる。
【００２４】
前記入賞口囲み枠において前記突設片を備えることにより、傾倒位置にある左右それぞれの前記可動羽根により前記入賞口に案内される前記遊技球が、その勢いにより入賞口の前を通過することを防ぐことができる。すなわち、例えば左の可動羽根により案内された前記遊技球が入賞口に入球することなく、右の可動羽根を介して落下してしまうなどといった前記遊技球の想定外の挙動を規制し、これにより、遊技者の不興を招くことを防ぐことができる。
【００２５】
左右それぞれの前記可動羽根により同じタイミングで前記遊技球が案内された場合でも、隔壁に加えて突設片を備えることにより、一方の可動羽根側から入球した前記遊技球は前記第一誘導路にのみ案内し、他方の前記可動羽根側から入球した前記遊技球は前記第二誘導路にのみ案内することができ、それらの前記遊技球が前記入賞口ないし前記誘導路で絡まって球噛みすることを防ぐことができる。また、前記突設片を備えることにより、一方の前記可動羽根側から入球した前記遊技球が前記入賞口の前を通過し、他方の前記可動羽根側にすり抜けてしまうことを確実に防止することができる。
【図面の簡単な説明】
【００２６】
【図１】本発明の実施形態による可変入賞装置１の分解斜視図である。
【図２】同実施形態による可変入賞装置１の正面の上方から見た斜視図である。可動羽根３ａ，３ｂおよび入賞口囲み枠２０の図示は省略している。
【図３】同実施形態による可変入賞装置１の中心から見た左半分の斜視図である。
【図４】同実施形態による可変入賞装置１の中心から見た右半分の斜視図である。
【発明を実施するための形態】
【００２７】
本発明に係る実施形態の可変入賞装置１について図面を参照しつつ説明する。可変入賞装置１は、左右に対向する一対の可動羽根により入賞口を閉塞または開放自在となすいわゆる電動チューリップの形態を備えるものである。可変入賞装置１は、普通電動役物および特別電動役物のいずれにおいても用いることができる。可変入賞装置１は、図１〜４に示す通り、遊技球を入球させる入賞口２と、左右に対向し起立位置と傾倒位置とに回動操作されることにより入賞口２を閉塞または開放自在な一対の可動羽根３ａ，３ｂと、入賞口２に連通し遊技球を誘導する第一誘導路４および第二誘導路５と、第一誘導路４および第二誘導路５を隔てる隔壁６とを備えている。また、第一誘導路４および第二誘導路５が遊技球を誘導するのに要する時間が互いに異なることを特徴とする。
【００２８】
可動羽根３ａ，３ｂは、図１に示す通り、左右に対向し起立位置と傾倒位置とに往復回動操作されることにより入賞口２を閉塞または開放自在な一対の回動体である。可動羽根３ａ側には入賞口２と連通してその奥に向かう第一誘導路４が設けられる。可動羽根３ｂ側には入賞口２と連通してその奥に向かう第二誘導路５が設けられる。
【００２９】
第一誘導路４は、図１〜３に示す通り、入賞口２の左半分から後方に向かって延設される。また、第一誘導路４は、図３に示す通り、連続した一つの傾斜平面により後方に向かって下がって形成される。
【００３０】
第二誘導路５は、図１，２，４に示す通り、入賞口２の右半分から後方に向かって延設される。また、第二誘導路５は、図４に示す通り、断続的な傾斜平面が階段状に設けられることにより後方に向かって下がって形成される。
【００３１】
上記の構成により、第一誘導路４の方が第二誘導路５よりも早く遊技球を通過させることとなる。その他、第一誘導路４および第二誘導路５は、互いに異なる角度の傾斜平面としたり、一方を傾斜平面、他方を傾斜曲面としたりしてもよい。または、いずれか一方の誘導路に前記遊技球の誘導を停止させない程度の溝や突起物等の障害物を設けたり、第一誘導路４および第二誘導路５が互いに異なる経路長を有することとしてもよい。
【００３２】
隔壁６は、第一誘導路４および第二誘導路５を隔てる仕切り部材である。隔壁６は、第一誘導路４および第二誘導路５の間において下面から立設する立壁として設けられている。これに限られず、第一誘導路４および第二誘導路５の間において上面から垂設してもよい。隔壁６は、第一誘導路４および第二誘導路５の間を遊技球が飛び越えまたは潜らない程度の高さに設けることが好ましい。すなわち、隔壁６と、第一誘導路４および第二誘導路５の床面または天井面との間に生じる隙間が、遊技球の直径より小さく設定されるということである。
【００３３】
また可変入賞装置１は上述する各部の他、図１〜４に示す通り、入賞口２の前方でこれを囲う入賞口囲み枠２０と、入賞口２が設けられる前部枠体２５と、前部枠体２５に連接される後部枠体４０と、後部枠体４０の後方でソレノイド８５を保持する後部ケース５０と、可動羽根３ａ，３ｂを回動自在に支持するシャフト５５ａ，５５ｂと、可動羽根３ａ，３ｂに回動駆動力を伝達する揺動伝達部材６０ａ，６０ｂと、揺動伝達部材６０ａ，６０ｂに揺動駆動力を伝達する揺動駆動部材７０ａ，７０ｂと、揺動駆動部材７０ａ，７０ｂを駆動するプランシャーヘッド８０と、プランシャーヘッド８０を進退駆動するソレノイド８５と、を備える。以下、上述の各部と併せてそれぞれの構成を説明する。
【００３４】
入賞口囲み枠２０は、図１，３，４に示す通り、可変入賞装置１の前部に設けられ、前部枠体２５との間において入賞口２および可動羽根３ａ，３ｂを内設する枠体である。入賞口囲み枠２０は透明な材質により形成され、その内側にランプ２２を有する演出基板２３を備えることにより可変入賞装置１の開閉等の遊技状態に合わせて任意の演出をすることができる。
【００３５】
入賞口囲み枠２０の入賞口２側の上部においては、入賞口２の上部に突設する突設片２１が設けられる。隔壁６と突設片２１の隙間は遊技球の直径よりも小さく設定されている。これにより、可動羽根３ａおよび可動羽根３ｂが傾倒位置のときに、遊技球が隔壁６と突設片２１の隙間を通過できないこととなる。突設片２１は、入賞口囲み枠２０に固設される基部から入賞口２の上部の奥側に向かって左右の幅が漸次狭められて形成され、両側が滑らかなＲ形状となっている。また、突設片２１の側辺はテーパ形状であってもよい。
【００３６】
前部枠体２５は、図１，２に示す通り、中央に遊技球を入球させる入賞口２を有し遊技盤（図示略）に取り付けられる台板２６と、入賞口２の下部において後方に遊技球を誘導する第一誘導路４および第二誘導路５と、第一誘導路４および第二誘導路５を隔てる隔壁６と、入賞口２の上方に突設し、遊技球が入球可能な上部入球口２７とを備える。
【００３７】
上部入球口２７は、図１〜４に示す通り、入賞口２の上方に突設し、後部枠体４０の上部樋４１に連設される。可動羽根３ａ，３ｂが起立位置にあるときは、上部入球口２７との間隔が狭くなることにより、遊技球が可動羽根３ａおよび可動羽根３ｂの間から入賞口２に入球することを防ぐこととなる。
【００３８】
後部枠体４０は、図１〜４に示す通り、前部枠体２５の後方においてこれに連接される枠体である。後部枠体４０の上部には上部入球口２７と連設される上部樋４１が設けられる。後部枠体４０の下部には前方に切り欠かれる下部切欠き部４２が設けられる。組立状態において、後部枠体４０が前部枠体２５に連設したとき、後部枠体４０の下部切欠き部４２と、前部枠体２５の後端下部により排出孔４３が形成されることとなる。隔壁６、第一誘導路４、および第二誘導路５は排出孔４３の手前まで延設されている。排出孔４３には、遊技球が通過する形状の入球検出センサ４４が設けられる。なお、第一誘導路４と第二誘導路５とにおいて、それぞれ、別々の排出孔４３および入球検出センサ４４を設けてもよい。
【００３９】
後部ケース５０は、図１〜４に示す通り、後部枠体４０の後方から後部枠体４０を内包するようにこれを保持し、またその間にソレノイド８５を保持するケーシング体である。後部ケース５０の下部は前部枠体２５および後部枠体４０による排出孔４３と対応する位置は切欠かれている。
【００４０】
可動羽根３ａ，３ｂには軸受け部３１ａ，３１ｂが設けられ、軸受け部３１ａ，３１ｂにシャフト５５ａ，５５ｂが挿通されることにより、可動羽根３ａ，３ｂはこれを回動軸として回動する。軸受け部３１ａ，３１ｂの先端には、一部が切り欠かれた形状の回動受容部３２ａ，３２ｂが設けられる（図１参照）。
【００４１】
可動羽根３ａ，３ｂの後方において、揺動伝達部材６０ａ，６０ｂにもシャフト５５ａ，５５ｂが挿通される（図１参照）。揺動伝達部材６０ａ，６０ｂは可動羽根３ａ，３ｂと同様に左右に対向し、可動羽根３ａ，３ｂに回動駆動力を伝達する前後に長い長尺部材である。揺動伝達部材６０ａ，６０ｂは同一軸に前方軸受け部６１ａ，６１ｂおよび後方軸受け部６２ａ，６２ｂを有し、それぞれにおいてシャフト５５ａ，５５ｂが挿通される。前方軸受け部６１ａ，６１ｂの先端には可動羽根３ａ，３ｂの回動受容部３２ａ，３２ｂの切欠き形状と係合する形状を有する回動駆動部６３ａ，６３ｂが形成される。また、揺動伝達部材６０ａ，６０ｂの後部には、後方軸受け部６２ａ，６２ｂと離間して軸を異にする揺動受容部６４ａ，６４ｂが設けられる。可動羽根３ａ，３ｂ、シャフト５５ａ，５５ｂおよび揺動伝達部材６０ａ，６０ｂは、前部枠体２５および後部枠体４０において回動自在に保持され、互いに係合し一体的に揺動することとなる（図１参照）。
【００４２】
揺動駆動部材７０ａ，７０ｂは揺動伝達部材６０ａ，６０ｂの後方において、これと係合し揺動駆動力を伝達するクランク部材である（図１参照）。揺動駆動部材７０ａ，７０ｂは、回動軸７１ａ，７１ｂにより後部枠体４０および後部ケース５０の間に回動自在に軸支される。揺動駆動部材７０ａ，７０ｂの上方には上下駆動するプランシャーヘッド８０が設けられ、その上下駆動が回動軸７１ａ，７１ｂと離間した位置に作用することにより、揺動駆動部材７０ａ，７０ｂは回動軸７１ａ，７１ｂまわりに往復回動する。揺動駆動部材７０ａ，７０ｂは回動軸７１ａ，７１ｂから外側に離間した位置に揺動伝達部材６０ａ，６０ｂの揺動受容部６４ａ，６４ｂと係合する形状の揺動駆動部７２ａ，７２ｂを有し、これにより揺動駆動部材７０ａ，７０ｂは揺動伝達部材６０ａ，６０ｂを揺動駆動する。
【００４３】
プランシャーヘッド８０は、ソレノイド８５のプランシャー８６に係合し、これと一体的に上下駆動する部材である（図１，３，４参照）。上部にプランシャー８６と係合する係合面８１を有し、下部に揺動駆動部材７０ａ，７０ｂを駆動する駆動面８２を有する。
【００４４】
ソレノイド８５は、可動鉄心を有するプランシャー８６を有し、電流を流して励磁させることによりプランシャー８６に直線状の進退運動を発生させるリニア型のアクチュエータである（図１，３，４参照）。本実施例におけるソレノイド８５は、その励磁が遊技盤制御部（図示略）により制御され、その進退駆動が上下方向におけるものとなるように設けられる。
【００４５】
以下、本発明に係る実施形態の可変入賞装置１の動作について、その効果とともに説明する。可変入賞装置１が上記の通り構成されることにより、ソレノイド８５の励磁・非励磁状態はプランシャー８６およびプランシャーヘッド８０を上下に駆動し、これにより、揺動駆動部材７０ａ，７０ｂが回動軸７１ａ，７１ｂまわりに往復回動し、揺動伝達部材６０ａ，６０ｂおよびシャフト５５ａ，５５ｂを経て、可動羽根３ａ，３ｂが起立位置と傾倒位置とに往復回動されることとなる。
【００４６】
可動羽根３ａ，３ｂが起立位置にあっては、対向する左右の可動羽根３ａおよび可動羽根３ｂの間隔が上部において狭まるところ、その対応する上方には上部入球口２７が突設しているため、遊技盤（図示略）において落下してくる遊技球は入賞口２に入球することはできない。
【００４７】
一方、可動羽根３ａ，３ｂが傾倒位置にあっては、対向する左右の可動羽根３ａおよび可動羽根３ｂの上部の間隔が広がり、上部入球口２７に入球しなかった遊技球が可動羽根３ａもしくは可動羽根３ｂを介して、または直接に、入賞口２に入球することが可能となる。
【００４８】
可動羽根３ａ，３ｂが傾倒位置にあるとき、可動羽根３ａ，３ｂはそれぞれ対向して内側に向かって傾斜するため、これらに落下した遊技球は入賞口２に向かって移動する。ここにおいて、隔壁６または入賞口囲み枠２０の中央に設けられる突設片２１に案内されることによって、左の可動羽根３ａに落下した遊技球は入賞口２の左側から入球し、右の可動羽根３ｂに落下した遊技球は入賞口２の右側から入球することとなる。また、可動羽根３ａ，３ｂに接触することなく入賞口２に飛び込む遊技球についても、隔壁６または突設片２１によって第一誘導路４または第二誘導路５に案内されることとなる。
【００４９】
仮に突設片２１が存在しなければ、一方の可動羽根３ａまたは可動羽根３ｂに落下して勢い余った遊技球が入賞口２に入球することなくその前を通過し、他方の可動羽根３ａまたは可動羽根３ｂをも通り抜けて、可動羽根３ａ，３ｂに落下したにも関わらず、結局、入賞口２に入球することがないという事態が生じることがある。本実施形態による可変入賞装置１は突設片２１により可動羽根３ａおよび可動羽根３ｂの間を仕切って遊技球のすり抜けを防ぐため、そのようなおそれはなくなる。また、可動羽根３ａ，３ｂから別々に同じタイミングで遊技球が入球したとしても、突設片２１および隔壁６によって第一誘導路４または第二誘導路５に案内することにより、それらの遊技球が入賞口２ないし第一誘導路４、または入賞口２ないし第二誘導路５において絡まって球噛みすることを防ぐことができる（図３，４参照）。
【００５０】
入賞口２の左側から入球した遊技球は、第一誘導路４により誘導され、排出孔４３に落下し入球検出センサ４４により検出される（図３参照）。一方、入賞口２の右側から入球した遊技球は、第二誘導路５により誘導され、排出孔４３に落下し入球検出センサ４４により検出される（図４参照）。
【００５１】
図２〜４に示す通り、第一誘導路４および第二誘導路５は隔壁６により隔てられるため、一方の誘導路に入球した遊技球がその通過中に他方の誘導路に移ることはない。また、第一誘導路４は、図３に示す通り、連続した一つの傾斜面により形成されるため、これに入球した遊技球は円滑に誘導される。一方、第二誘導路５は、図４に示す通り、断続的な傾斜面が階段状に設けられるため、これに入球した遊技球は第一誘導路４に入球した遊技球よりもゆっくりと誘導されることとなる。これらの構成により、つぎからつぎへと遊技球が入球する場合にあっても、第一誘導路４と第二誘導路５とに入球した遊技球は互いにタイミングがずらされるので、入賞口２から排出孔４３に至る経路において球噛みが発生することが著しく減少する。また、第一誘導路４および第二誘導路５の二経路を有することにより、遊技の進行を迅速にすることも可能となる。
【００５２】
上記は、第一誘導路４および第二誘導路５から一つの排出孔４３および入球検出センサ４４に連通する場合について述べたが、第一誘導路４と第二誘導路５とにおいてそれぞれ別々の排出孔４３および入球検出センサ４４を設けてもよく、この場合、左右それぞれの可動羽根３ａ，３ｂにより案内された遊技球がそれぞれ別々の結果をもたらすなどの演出の多様性を付加することができる。
【００５３】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。また、実施形態の全ての部品が本発明の必須の構成要素とは限らない。例えば、演出基板２３の設置は省略しても本発明を実施することができる。上記実施形態において、突設片２１をなくし、隔壁６によって、左右方向への遊技球のすり抜けを防止することもできる。突設片２１と隔壁６は別体としたが、これらを一体化しても良い。
【符号の説明】
【００５４】
１・・・可変入賞装置
２・・・入賞口
３ａ，３ｂ・・・可動羽根
４・・・第一誘導路
５・・・第二誘導路
６・・・隔壁
２０・・・入賞口囲み枠
２１・・・突設片
２５・・・前部枠体
２６・・・台板
４０・・・後部枠体
４３・・・排出孔
４４・・・入球検出センサ
５０・・・後部ケース
５５ａ，５５ｂ・・・シャフト
６０ａ，６０ｂ・・・揺動伝達部材
７０ａ，７０ｂ・・・揺動駆動部材
８０・・・プランシャーヘッド
【図１】
0005855524.tif 000002
【図２】
0005855524.tif 000003
【図３】
0005855524.tif 000004
【図４】
0005855524.tif 000005